(57)【要約】 【課題】坐薬投与を衛生的に行える挿入器と薬剤挿入の痛みを和らげるための潤滑剤をひとつにしたパッケージを提供する。【解決手段】坐薬３１と坐薬の挿入に必要な挿入棒２１をひとつのパッケージ１０に収容することができる。また投与の際に起こる痛みを和らげる潤滑剤が４１に収容されていることから同時に使用することの利便性を提供する。このパッケージ１０は気密性を保ち携帯性と衛生管理を提供する。坐薬と挿入器及び潤滑剤のパッケージは、座薬と挿入器のみの組み合わせ、または潤滑剤と挿入器のみの組み合わせも可能である。【選択図】図１
2010075465.tif 000002
【特許請求の範囲】
【請求項１】
坐薬を挿入器する器具あって、片手で持つことができる棒状となって、坐薬の終端部分に挿入器を差し込む構造であり、坐薬の終端部分に押し込み結合する事が可能な構造として、挿入器先端部が坐薬の大きさと同じ或いは小さく結合部分には坐薬に差し込む構造を有し、挿入器は投与される坐薬の大きさよりも小さく挿入の際に身体への負担を軽減でる事を特徴とする器具。
【請求項２】
坐薬と挿入器の衛生面を保つために密封されたパッケージの構造であって、挿入器と坐薬が梱包されており、投与の手順に応じた開封順序を包材に表示しその開封部分は、容易に開封箇所を認識できる構造を有し、挿入器を坐薬本体に取り付ける手順中にも坐薬に触れることなく挿入器と結合でき、結合の部分は坐薬の終端部分に形状を合わせた構造である挿入器が坐薬の終端部分に差し込む形で、まっすぐ押し込み結合されることで左右の動きにも結合を維持でき、挿入器の開封側と反対には投与の際に挿入を容易にするための潤滑剤が充填され、前述同様に開封部分は、容易に開封箇所を認識できる構造を有し、挿入器と坐薬が結合した形で当該パッケージ内にある状態での開封が可能な構造を特徴とするパッケージ。
【発明の詳細な説明】
【技術分野】
【０００１】
本発明は、坐薬の挿入器具と坐薬と挿入棒ならびに潤滑剤からなる一括した包材で衛生的に梱包するためのパッケージに関するものである。
【背景技術】
【０００２】
従来の坐薬挿入器には、薬剤よりも大きなものが存在している。参考文献として特許文献１参照。また、薬剤のパッケージには薬剤のみを包装しているものがある。
【特許文献１】特開２００４−１６０１７４。
【発明の開示】
【発明が解決しようとする課題】
【０００３】
従来技術では、坐薬を投与する場合の器具を使用することになれば、その器具が投与される坐薬よりも形状が大きくなるため、投与の際に痛みを感じることがある。
【０００４】
また、投与者および投与者が自身の場合など投与の際に器具を使わない場合では指先が汚物に汚れることがある。従来挿入器具を使用する際にも同様の問題点が存在し、衛生管理面、携帯性、経済性の各方面からその維持と管理などの条件以外にも個人の体型における柔軟な使用条件に欠点がある。
【０００５】
上述挿入器においては継続的な使用の場合では衛生管理に欠点がある。例えば肛門内に挿入する事で汚物による汚れを使用者もしくは使用者自ら洗浄する事が必要なる。挿入器の管理面では衛生的で乾燥状態を維持することなど使用時以外の配慮が必要となり一般的な個人が自身の投与には難しい。
【課題を解決するための手段】
【０００６】
本発明の請求項１に記載の坐薬を挿入器する器具は、坐薬の終端部分に挿入器を差し込む構造であり。坐薬の終端部分に押し込み結合する事が可能な構造として、挿入器先端部が坐薬の大きさと同じ或いは小さくなっている。片手で持つことができる棒状となっていることで。当該挿入器は投与される坐薬の大きさよりも小さく挿入の際に身体への負担を軽減でる事も特徴とする。
【０００７】
本発明の請求項２に記載されているパッケージは、坐薬の挿入には清潔さを維持する衛生面において２極の課題がありひとつは坐薬自体の衛生状態を保つこと、もうひとつは、挿入の際に挿入者自身の指先が肛門内に挿入されることにおける汚物の付着や挿入者自身の指先に付着した細菌等の感染があげられる。この２つの衛生面を解決する手段として挿入器が同梱されていることと、従来技術では坐薬単体でのパッケージである場合において投与時の痛みを緩和する潤滑剤が同梱されていないことを本発明では同一包装においてこれを提供することを特徴とする。
【発明の効果】
【０００８】
本発明の坐薬挿入器とパッケージは、坐薬挿入時の衛生管理と痛みを緩和することの潤滑剤が同梱されていることで、坐薬の使用が極めて衛生的で痛みを押さえた投薬を実現することが出来る。
【発明を実施するための最良の形態】
【０００９】
以下、本発明の一実施例を図１〜図６に基づいて説明する。
坐薬３１と坐薬の挿入に必要な挿入棒２１をひとつのパッケージ１０に収容することができる。また投与の際に起こる痛みを和らげる潤滑剤が４１に収容されていることから同時に使用することの利便性を提供する。  このパッケージ１０はシート状の蓋５１で衛生面と気密性を保ち携帯性と管理を提供するためにシール状のシートで全体を接着剤１５により密封されている。ただし、パッケージ１０の１３部分の穴を留める部分は潤滑剤４１が梱包されるため密閉される必要がある。  挿入器本体２１とパッケージ１０の長さは任意に設計変更してよい。
【００１０】
本発明の構成による挿入器と坐薬の配置は、図２のように直線上に挿入器１１，坐薬１２、潤滑剤１３のそれぞれに並ぶことでその使用についてのイメージを直感的に印象させるとともに坐薬と挿入器を結合した後も当該パッケージの上で坐薬に触れることなく持つことが容易である。
【００１１】
図４の示すとおり、シール状の蓋５１をパッケージ１０より剥がし、挿入器２１と坐薬３１を露出させる。       
【００１２】
挿入器の先端部分２２は、坐薬３１の終端部分３２にくぼみ、筒状の空間が存在するために挿入器と坐薬の結合が容易である。  
【００１３】
図５のとおり挿入器を結合させた坐薬をパッケージとシール状の蓋で挟み反対則のシールを捲りパッケージ１０の穴１３に充填されている潤滑剤４１を露出させ、挿入器に結合された坐薬の先端部分３３に潤滑剤を塗布することが出来る。
【００１４】
挿入器２１と坐薬３１が結合された状態でシート状のカバー５１を捲りパッケージ１０の１３部分の穴に充填された潤滑剤４１を坐薬３１の先端部分３３に適量塗布する事で痛みを抑えることを期待した投与ができうる状態になる。
【００１５】
坐薬を挿入し、挿入器のみをまっすぐに引き抜く事で坐薬の投与は完了する。
【００１６】
坐薬と挿入器はパッケージの中で既に結合されている場合も可能である。また、シート状の蓋を挿入器側から全てを捲ることも可能である。
【００１７】
坐薬と挿入器及び潤滑剤のパッケージは、座薬と挿入器のみの組み合わせ、または潤滑剤と挿入器のみの組み合わせも可能である。
【図面の簡単な説明】
【００１８】
【図１】本発明に係る一実施例の斜視図である。
【図２】本発明に係る一実施例の開封状態の斜視図である。
【図３】本発明に係る一実施例の断面図である。
【図４】本発明に係る一実施例の開封状態の斜視図である。
【図５】本発明に係る一実施例の開封状態の斜視図である。
【符号の説明】
【００１９】
１０・・・パッケージ本体
１１・・・挿入器を納める窪み
１２・・・坐薬を納める窪み
１３・・・潤滑剤を充填する穴
１５・・・接着剤
２１・・・挿入器
２２・・・挿入器先端
３１・・・坐薬
３２・・・坐薬終端部
３３・・・坐薬先端部
４１・・・潤滑剤
５１・・・シート材（蓋）
【図１】
2010075465.tif 000003
【図２】
2010075465.tif 000004
【図３】
2010075465.tif 000005
【図４】
2010075465.tif 000006
【図５】
2010075465.tif 000007